(57)【要約】容器中の流体材料と混合するための物質（６）を貯蔵するための液体容器（５）の再使用可能な蓋キャップにして、内側にネジ溝を有するスカート部を含む主部材（１）と、主部材と関連付けされあるいは協動し、非流動性の物質（６）を貯蔵するための非孔開け性の画室を提供する貯蔵容器（２）と、主部材及びあるいは貯蔵容器と関連付けられ、貯蔵容器を閉鎖するための蓋手段（３）とを含む蓋キャップが提供される。
2005529801.tif 000002
【特許請求の範囲】
【請求項１】
液体容器中の流体材料と混合させる物質を貯蔵するための、液体容器用の蓋キャップであって、
ａ）液体容器のネック部のネジ溝と係合するネジ溝を内側に有するスカート部を含む主部材と、
ｂ）主部材と関連付けされあるいは協動する貯蔵容器にして、液体容器中の液体に混合させるあるいは消費させる非流動性の物質を貯蔵するための、非孔開け性の画室を提供する貯蔵容器と、
ｃ）主部材及びあるいは貯蔵容器と関連付けされ、貯蔵容器を閉鎖するための蓋手段と、
を含む蓋キャップ。
【請求項２】
主部材が、内側にネジ溝を有するスカート部を周囲に有するキャップであり、蓋手段が該キャップの上壁により提供される請求項１の蓋キャップ。
【請求項３】
貯蔵容器が、主部材により液体容器の開口部位置に固定され、上方に周囲フランジ部を有する管状部材である請求項１の蓋キャップ。
【請求項４】
蓋手段を有する貯蔵容器を主部材に嵌装してなる請求項１の蓋キャップ。
【請求項５】
蓋手段がフリップ式のキャップである請求項４の蓋キャップ。
【請求項６】
蓋手段がネジ式のキャップである請求項４の蓋キャップ。
【請求項７】
主部材、貯蔵容器、蓋手段が一体形成される請求項１の蓋キャップ。
【請求項８】
主部材と容器とが一体形成され且つ貯蔵容器に取り付けるべく適合される請求項１の蓋キャップ。
【発明の詳細な説明】
【技術分野】
【０００１】
本発明は、必要に応じて容器／ボトルの中身に付加することのできる配合物や液体を含む物質を安全且つ衛生的に保持及び貯蔵する、特別設計の、ビルトイン型の画室を組み込んだ容器／ボトルのキャップ／上蓋に関する。
【背景技術】
【０００２】
容器中の主材料と混合させるための物質の貯蔵を容易化する画室を提供するキャップを有する容器に関する特許は数多く存在する。
ＷＯ９８／００３４８Ａ（Ｇａｔｎｅｒ他）には、開放すると破れる膜を持つ物質貯蔵用区画を備えたコップ状の蓋が記載される。
ＷＯ９９／４７４２８Ａ（Ａｐｔａｒｇｒｏｕｐ社）には、画室を有するフリップ式の閉じ蓋と、不正開封防止機能を有する帯と、容器に螺装した蓋キャップとにより保護され、孔開けすることで破壊され得る脆性膜とが記載される。
米国特許第５，６９２，６４４号、同第５，２７７，３０３号、同第６，０７６，５７０号、同第５，０２９，７１８号、同第４，７８５，９３１号、同第５，９０９，７５３号には、容器中の主材料と混合させるための物質を一時的に蓄える、容器用のキャップのその他のものが記載される。
上述の各特許は、破壊されることでキャップ内部の貯蔵領域の内部の材料と、容器内部の主材料との混合を容易化する、孔開け自在の膜の概念に基づいたものである。従って、キャップを製造するための型は複雑且つ高価なものとなる。
薬を投与するに際しては、不注意で間違った薬が投与されることで患者が深刻な危害あるいは不快を被るという大きな問題のあることが一般に知られるようになっており、薬を投与するためのもっと正確で且つ個人向けとしたシステムに対する明らかな需要がある。
【０００３】
【特許文献１】ＷＯ９８／００３４８Ａ
【特許文献２】ＷＯ９９／４７４２８Ａ
【特許文献３】米国特許第５，６９２，６４４号の明細書
【特許文献４】米国特許第５，２７７，３０３号の明細書
【特許文献５】米国特許第６，０７６，５７０号の明細書
【特許文献６】米国特許第５，０２９，７１８号の明細書
【特許文献７】米国特許第４，７８５，９３１号の明細書
【特許文献８】米国特許第５，９０９，７５３号の明細書
【発明の開示】
【発明が解決しようとする課題】
【０００４】
解決しようとする課題は、容器の中身と順次混合あるいは消費される物質を安全に貯蔵することのできる容器を提供することである。他の課題及び利益は、容器／ボトルのキャップ／上蓋の外側面に理想的に組み込まれた、特別の、固定可能な、貯蔵／保持用の画室を組み込んだ、意図的且つ有益な、容器／ボトル、キャップ／上蓋設計形状に関する例を示すところの以下の説明から明らかとなろう。
【課題を解決するための手段】
【０００５】
本発明によれば、
ａ）液体容器用の閉じキャップにして、容器内の流体材料と混合するための物質を貯蔵するための閉じキャップと、
ｂ）液体容器のネック部のネジ溝と係合する内側ネジ溝を有するスカート部分を含む主部材と、
ｃ）主部材と関連あるいは協動する貯蔵容器にして、液体容器内の液体に混合あるいは消費させる物質を貯蔵するための、非孔開け性の画室を提供する貯蔵容器と、
が提供される。
蓋手段が、液体容器を閉鎖するべく主部材及びあるいは貯蔵容器と関連付けされ得る。
主部材が、内側にネジ溝付けしたスカート部分を周囲に有するキャップであり得、蓋手段が、キャップの上壁により提供され得る。
貯蔵容器が、主部材により液体容器の開口部位置に固定された上方の周囲フランジ部を有する管状部材であり得る。
蓋手段を備えた貯蔵容器は、主部材に嵌着させ得る。
蓋手段はフリップキャップであり得る。
蓋手段はネジキャップであり得る。
主部材、貯蔵容器、蓋手段は、一体形成され得る。
主部材及び容器は一体形成され得且つ貯蔵容器に取り付けるべく適合され得る。
【発明の効果】
【０００６】
容器の中身と順次混合あるいは消費される物質を安全に貯蔵することのできる容器を提供することである。
【発明を実施するための最良の形態】
【０００７】
図面を参照するに、本発明には３つの基本要素、即ち、
ａ．容器に取付け自在の主部材と、
ｂ．貯蔵容器と、
ｃ．貯蔵容器を閉鎖するための蓋手段と、
が設けられる。
ａ、ｂ、ｃの各要素は、以下の説明中で夫々図面の矢印１、矢印２、矢印３を参照される。本発明の範囲内における別態様の概念の説明が以下に補足される。
【０００８】
図１ａ〜図６ｃを参照するに、
１．主部材が全体を矢印１で示され、
２．貯蔵容器が全体を矢印２で示され、
３．蓋手段が全体を矢印３で示されている。
図１ａ〜図１ｃに関し、主部材１が、容器５のネック部のネジ溝４に管状の貯蔵容器２を錠止している。
本発明に従えば、容器５の内部の液体と混合するための物質６が貯蔵容器２の内部に保持される。
【０００９】
図２ａ〜図２ｃを参照するに、主部材１が容器５のネック部のネジ溝に取り付けられる。
主部材１にはスナップオン式の、あるいはネジ溝付きの容器７が取り付けられ、この容器７が、容器５の内部の液体と混合する物質６の貯蔵を容易化するところの、フリップ式の上キャップ８を有する。
【００１０】
図３ａ〜図３ｃを参照するに、本発明の別態様が示され、容器５には、この容器５のネック部のネジ溝４と係合自在の主部材１が設けられる。この場合、蓋部材３が主部材１に弾発的に嵌装され、添加用の物質６が、蓋部材３と主部材１とにより創出される画室２の内部に貯蔵される。
【００１１】
図４ａ〜図４ｃを参照するに、図３ａ〜図３ｃを参照して説明した実施例と極めて類似する実施例が示され、蓋部材３が従来周知のフリップ式の上キャップ８とされている。
【００１２】
図５ａ〜図５ｃを参照するに、主部材１が貯蔵容器２を有し、蓋部材３がフリップ式の上キャップ８とされている。添加物あるいは物質６は貯蔵容器２の内部に貯蔵される。
【００１３】
図６ａ〜図６ｃを参照するに、先の各実施例に於けるような３つの基本要素が設けられている。本実施例では主部材１が貯蔵容器２を有し、不正開封防止機能を有するキャップ９及びシール１０（通常は、本実施例では図示されないプラスチックスリーブに覆われる）を追加する改良がなされている。
【００１４】
本発明には、広汎な市場において商業的に無限の実用性がある。それらの例には、これらに限定するものではないが、本発明及び幾つかの有益な用途を補足する以下のようなものがある。
ａ）個人使用：本発明は、治療／個人の健康用に、シールされた鎮痛剤、酸中和剤、ビタミン、健康用錠剤その他を保持する貯蔵画室を有する、湧き水を入れたボトルとして、スーパーマーケットから小規模な食品店までの販路を通して小売りされ得る。
ｂ）従って消費者は本製品を、経済的で、衛生的で、しかも非常に便利な１購入物として買うことができる。
ｃ）従って本発明は、極めてシンプルで、安価で且つ便利な、殆ど全ての人々が使用する製品であり得る。
ｄ）再使用：本発明は、マイクロ波処理、冷凍及びあるいは殺菌等をすることが可能であり、地域あるいは環境の変化とは無関係に所定の標準ベースで処方された混合物を全年齢層に対して安全に、衛生的に、そして便利に使用することのできる、再使用自在の材料を含む。
本発明は、１回限りの使用及び再使用の何れの場合においても無限に有益に使用され得る。
以上、本発明を実施例を参照して説明したが、本発明の内で種々の変更をなし得ることを理解されたい。
【図面の簡単な説明】
【００１５】
【図１ａ】本発明に従う閉じキャップの１形態を示す断面図である。
【図１ｂ】本発明に従う閉じキャップの１形態を示す断面図である。
【図１ｃ】本発明に従う閉じキャップの１形態を示す断面図である。
【図２ａ】本発明の他の様相に従う閉じキャップの形態を示す断面図である。
【図２ｂ】本発明の他の様相に従う閉じキャップの形態を示す断面図である。
【図２ｃ】本発明の他の様相に従う閉じキャップの形態を示す断面図である。
【図３ａ】本発明の他の様相に従う閉じキャップの形態を示す断面図である。
【図３ｂ】本発明の他の様相に従う閉じキャップの形態を示す断面図である。
【図３ｃ】本発明の他の様相に従う閉じキャップの形態を示す断面図である。
【図４ａ】本発明の他の様相に従う閉じキャップの形態を示す断面図である。
【図４ｂ】本発明の他の様相に従う閉じキャップの形態を示す断面図である。
【図４ｃ】本発明の他の様相に従う閉じキャップの形態を示す断面図である。
【図５ａ】本発明の他の様相に従う閉じキャップの形態を示す断面図である。
【図５ｂ】本発明の他の様相に従う閉じキャップの形態を示す断面図である。
【図５ｃ】本発明の他の様相に従う閉じキャップの形態を示す断面図である。
【図６ａ】本発明の他の様相に従う閉じキャップの形態を示す断面図である。
【図６ｂ】本発明の他の様相に従う閉じキャップの形態を示す断面図である。
【図６ｃ】本発明の他の様相に従う閉じキャップの形態を示す断面図である。
【符号の説明】
【００１６】
１  主部材
２  貯蔵容器
３  蓋部材
４  ネジ溝
５  容器
６  物質
７  貯蔵容器
８  上キャップ
９  キャップ
１０  シール
【図１ａ】
2005529801.tif 000003
【図１ｂ】
2005529801.tif 000004
【図１ｃ】
2005529801.tif 000005
【図２ａ】
2005529801.tif 000006
【図２ｂ】
2005529801.tif 000007
【図２ｃ】
2005529801.tif 000008
【図３ａ】
2005529801.tif 000009
【図３ｂ】
2005529801.tif 000010
【図３ｃ】
2005529801.tif 000011
【図４ａ】
2005529801.tif 000012
【図４ｂ】
2005529801.tif 000013
【図４ｃ】
2005529801.tif 000014
【図５ａ】
2005529801.tif 000015
【図５ｂ】
2005529801.tif 000016
【図５ｃ】
2005529801.tif 000017
【図６ａ】
2005529801.tif 000018
【図６ｂ】
2005529801.tif 000019
【図６ｃ】
2005529801.tif 000020
【国際調査報告】
2005529801.tif 000021
2005529801.tif 000022
2005529801.tif 000023